(57)【要約】      （修正有）【課題】通行人に自己の移動型広告具（看板）を他店のそれ（看板）よりも注意を喚起させることができ移動型広告具用の補助広告具を提供する。【解決手段】四隅にキャスターを備えるベース板と、このベース板の中央部に垂直状態に設けられた板状又はケース状の広告部とから成り、サービス業者の店先に配置される移動型広告具用の補助広告具であって、該補助広告具は、前記広告部に固定手段を介して取付けられる左右一対の取付け板と、前記広告部の上壁よりも上方に位置するように該取付け板の上端部に固定的に設けられ、かつ、少なくとも１個以上の発光体を有する板状又はケース状の補助広告部とから成ることを特徴とする移動型広告具用の補助広告具である。【選択図】図１
0003150668.tif 000002
【実用新案登録請求の範囲】
【請求項１】
四隅にキャスターを備えるベース板と、このベース板の中央部に垂直状態に設けられた板状又はケース状の広告部とから成り、サービス業者の店先に配置される移動型広告具用の補助広告具であって、該補助広告具は、前記広告部に固定手段を介して取付けられる左右一対の取付け板と、前記広告部の上壁よりも上方に位置するように該取付け板の上端部に固定的に設けられ、かつ、少なくとも１個以上の発光体を有する板状又はケース状の補助広告部とから成ることを特徴とする移動型広告具用の補助広告具。
【請求項２】
請求項１に於いて、発光体は、光の変化する二種類以上のタイプであることを特徴とする移動型広告具用の補助広告具。
【請求項３】
請求項１に於いて、補助広告具は、取付け板に連結された連結手段を介して移動型広告具のベース板上に載置される錘を備えていることを特徴とする移動型広告具用の補助広告具。
【請求項４】
請求項１に於いて、補助広告具は、取付け板の上端部に固定される補助支持板を介して移動型広告具の広告部に固定されることを特徴とする移動型広告具用の補助広告具。
【請求項５】
請求項１に於いて、補助広告具は、非接触型センサの信号に基づいて音声発生手段から音声が放出されるように制御する制御部を備えていることを特徴とする移動型広告具用の補助広告具。
【請求項６】
請求項１に於いて、補助広告具の広告部は、広告内容を電子的に変更することができる印刷表示装置を備え、該印刷表示装置は、
所定形状のフレーム基体と、該フレーム基体に設けられた入力部と、この入力部が受け取った印刷情報を記憶する記憶部と、前記フレーム基体に設けられかつ前記記憶部の印刷情報を電子ペーパーに出力するように制御する制御部と、前記フレーム基体内に設けられ、かつ前記制御部からの前記印刷情報を表示後に電気が流れなくてもデータ自己保存性により当該表示後の印刷情報を常に表示（印刷）する電子ペーパーとから成る移動型広告具用の補助広告具。
【考案の詳細な説明】
【技術分野】
【０００１】
本考案は、サービス業者が自己のお店の前に置く移動型広告具用の補助広告具に関する。
【背景技術】
【０００２】
サービス業、例えば飲食業、小売業などを含むサービス業（飲食店、焼鳥屋、小売店、居酒屋、喫茶店など）の店先には、板状又はケース状の広告部にサービスの内容、屋号等を記載した移動型広告具が置かれている。特に商店街や繁華街には、図１３に示したような移動型広告具Ｘがところどころに見受けられる。
【０００３】
すなわち、１は四隅に自在キャスターを有する矩形状のベース板、３はベース板１の上面中央部に垂直状態に設けられた左右一対の垂直フレーム（支柱）、４はこれらの垂直フレームの上端部に水平状態に設けられた上部フレーム（支持板）、５は、少なくとも垂直フレーム３及び上部フレーム４で囲まれた内部空間に設けられたケース状の広告部、６は、広告部の下端部から外部へと延びる電源コードである。
【０００４】
上記構成の移動型広告具Ｘは、四隅に自在キャスターを有する矩形状のベース板と、このベース板の中央部に垂直状態に設けられた板状の広告部とから成る普通一般の図示しない移動型広告具よりも視覚を目立たせるために、ケース状広告部（箱体）の中に照明手段（たとえば蛍光灯）を組み込み、夜になると、電源コードを電源に接続して照明手段を点灯させる。
【０００５】
したがって、普通一般の移動型広告具よりも通行人の注意をひきつけるという利点がある。
【０００６】
しかしながら、都会の繁華街では、比較的小規模のサービス業者の店が同種、異種を問わず色々と競合しあっているので、その分、移動型広告具Ｘの数が多くなっているというのが実情である。
【０００７】
その結果、特に夜間の営業中に広告部が点灯するこの種の移動型広告具Ｘに関して、通行人は平均化したありふれたものという印象を受けるようになりつつある。
【０００８】
そこで、現在、サービス業者の中から、照明手段を有するか否かを問わず、自己の既存広告具（お店の看板）を、他のサービス業者のものよりも際立たせたいとの要望が出てきている。
【０００９】
なお、特許文献１には、ラーメン屋等の飲食店の店先に置かれる自在キャスター付きの既存看板が記載されているが、該特許文献１の考案の目的は、既存看板に対して、ラーメン等のサンプルから湯気を看取させることができるミスト発生機能を後付することであり、本願考案のように「発光体を有する補助広告部」を付加するというものではない。
また、特許文献１の既存看板の構成は、前後の両端部にアジャスターあるいは、自在キャスターを有する左右一対の杆状脚と、これらの杆状脚の後端部を連結する水平連結杆と、この水平連結杆と前記杆状脚との間に形成された空間部分に、出し入れ自在に設けられた箱型の広告部とから成るものであって、本願考案の対象となる移動型広告具ではない。
【先行技術文献】
【特許文献】
【００１０】
【特許文献１】特開２００３−２３３３３８号公報
【特許文献２】特開２００７−１９９２９６号公報
【考案の概要】
【考案が解決しようとする課題】
【００１１】
本願考案の所期の目的は、通行人に自己の移動型広告具（看板）を他店のそれ（看板）よりも注意を喚起させることができることである。第２の目的は、補助広告具を移動型広告具の広告部の横幅に対応して取付けることができることである。第３の目的は、光の変化（点滅する、文字が移動する、色彩が所定方向に流れるなど）する二種類以上の発光体により、補助広告具の広告部を際立たせることである。第３の目的は、移動型広告具を移動型広告具の上方に設けたことによって、移動型広告具が強風等により倒れないようにすることである。第４の目的は、補助広告具を移動型広告具の上方に安定的に支持することができるようにすることである。
【課題を解決するための手段】
【００１２】
本考案の補助広告具は、四隅にキャスターを備えるベース板と、このベース板の中央部に垂直状態に設けられた板状又はケース状の広告部とから成り、サービス業者の店先に配置される移動型広告具用の補助広告具であって、該補助広告具は、前記広告部に固定手段を介して取付けられる取付け板と、前記広告部の上壁よりも上方に位置するように該取付け板の上端部に固定的に設けられ、かつ、少なくとも１個以上の発光体を有する板状又はケース状の補助広告部とから成ることを特徴とする。
【００１３】
上記構成に於いて、取付け板は、左右一対で構成され、これらの取付け板は、移動型広告具の左右の垂直フレームにそれぞれ固定されることを特徴とする。また、発光体は、光の変化（点滅する、文字が移動する、色彩が所定方向に流れるなど）する二種類以上のタイプであることを特徴とする。また、補助広告具は、取付け板に連結された連結手段を介して移動型広告具のベース板上に載置される錘を備えていることを特徴とする。また、補助広告具は、取付け板の上端部に固定される補助支持板を介して移動型広告具の広告部に固定されることを特徴とする。また、補助広告具は、非接触型センサの信号に基づいて、スピーカーから音声が放出されるように制御する制御部を備えていることを特徴とする。
【００１４】
さらに、補助広告具の広告部は、広告内容を電子的に変更することができる印刷表示装置を備え、該印刷表示装置は、所定形状のフレーム基体と、該フレーム基体に設けられた入力部と、この入力部が受け取った印刷情報を記憶する記憶部と、前記フレーム基体に設けられかつ前記記憶部の印刷情報を電子ペーパーに出力するように制御する制御部と、前記フレーム基体内に設けられ、かつ前記制御部からの前記印刷情報を表示後に電気が流れなくてもデータ自己保存性により当該表示後の印刷情報を常に表示（印刷）する電子ペーパーとから成ることを特徴とする。ここでの「発光体」は、ＬＥＤの点滅方式、ＬＥＤの文字や光が流れる方式等の他に、液晶画面も含む。
【考案の効果】
【００１５】
（ａ）通行人に自己の移動型広告具（看板）を他店のそれ（看板）よりも注意を喚起させることができる。
（ｂ）実施例によっては、補助広告具を移動型広告具の広告部の横幅に対応して取付けることができることができる。
（ｃ）実施例によっては、光の変化（点滅する、文字が移動する、色彩が所定方向に流れるなど）する二種類以上の発光体により、補助広告具の広告部を際立たせることができる。
（ｄ）実施例によっては、錘を移動型広告具のベース板の上方に設けたことによって、移動型広告具が強風等により倒れないようにすることができる。
（ｅ）実施例によっては、補助広告具を移動型広告具の上方に安定的に支持することができるようにすることができる。
【図面の簡単な説明】
【００１６】
図１乃至図６は本考案の第１実施例を示す各説明図。図７及び図８は本考案の第２実施例を示す各説明図。図９乃至図１２は本考案の第３実施例を示す各説明図。
【図１】斜視からの説明図。
【図２】正面からの説明図。
【図３】左側面らの説明図。
【図４】主要部の斜視図。
【図５】主要部の分解斜視図。
【図６】発光体等用の制御部のブロック図。
【図７】第２実施例の図１と同様の斜視図。
【図８】第１実施例と主に異なる点を示す斜視図。
【図９】第３実施例の斜視図。
【図１０】広告部２２Ａの構成を示す概略説明図。
【図１１】印刷表示装置の制御部のブロック図。
【図１２】印刷情報の印刷のフローチャート。
【図１３】従来の移動型広告具の一例を示す説明図。
【考案を実施するための最良の形態】
【００１７】
以下、図１乃至図６に示す本考案を実施するための最良の形態（第１実施例）により説明する。なお、従来の実施例と同一の部分には、同一の符号を付す。
【００１８】
従来の一実際例で説明したように、１は、四隅にキャスター２を有する矩形状のベース板、３はベース板の上面中央部に立設された長板状（本実施例）、あるいはパイプ状の左右一対の垂直フレーム（支柱）、４は、左右の垂直フレームの上端部を連結する上部フレーム（水平支持板）、５は、各フレーム３、４の内部空間に固定的に組み込まれた点灯型のケース状広告部、６は広告部を点灯させるための電源コードである。
【００１９】
サービス業者の店先に設置される移動型の広告具Ｘは、概ね前記の部材を構成要件とするが、フレーム構造は様々であり、例えば、左右の垂直フレーム３，３と、上部フレーム４は、一板の板片をコ字状に折り曲げて形成されている。また、フレームの材質は、例えば硬質の樹脂素材が用いられている。さらに、内部に蛍光灯を有する広告部５は、例えばアクリル樹脂素材を用いて縦長の箱型に形成され、その表面に店名、サービス内容、絵柄などが施されている。
【００２０】
さて、本考案の移動型広告具Ｘ用の補助広告具Ｙは、固着手段（本実施例）を介して、その補助広告部が前述した広告部５の上壁よりも上方に位置するように固定的に後付けされる。
【００２１】
すなわち、１１は、少なくとも２本、本実施例ではそれぞれ長板材で左右対称に形成された所定長の取付け板で、これら左右一対の取付け板１１は、固定手段（例えば複数個のネジ）１２を介して移動型広告具Ｘの左右の垂直フレーム３，３の外面に垂直状態に固定される。したがって、特に符号を付さないが、取付け板１１の上下端部及びその他適宜箇所には、それぞれ固定手段用の取付け孔が複数個形成されている。
【００２２】
しかして、取付け板１１の上端部には、単数又は複数（本実施例）の突片状の支持部１３，１４が設けられている。
【００２３】
ここでは、図２で示すように、上端部寄りの内壁面に、内方向に水平状態に突出し、かつ、移動型広告具Ｘの上部フレーム４の左右端部に乗っかる端板部分を第１支持部１３とし、一方、該第１支持板１３と対向するように上端部に突出され、かつ、後述する補助支持板と係合状態で連結する端板部分を第２支持部１４とする。
【００２４】
また、取付け板１１の下端部（下端部寄りの部位も含む）には、垂直案内長孔１５が形成され、該垂直案内長孔１５には、連結手段を介して、錘が取付けられている。
【００２５】
ここで、図５を参照にして、連結手段と錘を説明する。連結手段は、本実施例では、ボルトとナットから成り、前述した連結孔としての垂直案内長孔１５に案内されるねじ型スライダー１６と、該ねじ型スライダー１６に貫通小孔を介して、上端部が枢支される連結アーム１７と、該連結アームの下端部に枢支されるボルトと該ボルトに螺着すると共に筒状錘１９にその内端部が摺設自在に差し込まれるメネジ棒を構成要素とする錘連結具１８とから成る。
【００２６】
ところで、前記筒状錘１９は、筒状に形成されているが、筒状であることは考案の本質的事項ではない。錘１９の形態は丸形、ローラー型、角型など任意に設計変更できる事項である。錘１９は、強風により移動型広告具Ｘが点灯しないようにするためのものであるから、その重さ、形状、大きさなどは、適宜に設定され、ベース板２の上面に載置される。
【００２７】
次に、図４及び図５を参照にして、補助支持板２１を説明する。取付け片１１の上端部に支持部が１つだけ形成されている場合には、補助広告部２２を前記支持部に固定手段を介して直接取り付けても良いが、本実施例では、移動型広告具Ｘの広告部５の左右の幅が色々と存在することから、広告部５の左右の横幅に対応することができるように、左右一対の取付け片１１の各第２支持部１４に位置調整可能に係合する端面チャンネル形状の補助支持板２１を介して、間接的に取り付けられている。
【００２８】
しかして、補助支持板２１は、普通一般の移動型広告具の広告部５の上壁又は上部フレーム４の長さと略同一か、又はそれよりも若干長い寸法であり、左右両端部に被係合部２１ａを有するチャンネル型の長板体か、又は、非チャンネル型の長板体を用いるのが望ましい。
【００２９】
次に、補助広告部２２は、板状又はケース状（本実施例）に形成され、その大きさは、望ましくは移動型広告具Ｘの広告部５の１／２〜１／３である。この補助広告部２２の底壁２２ａは、図２で示すように補助支持板２１の上面に図示しない固定手段（ネジ、接着層）を介して固定的に取付けられる。
【００３０】
しかして、補助広告部２２は、底壁２２ａを含む円形又は角形（本実施例）の合成樹脂製フレーム基体２３と、このフレーム基体２３内に設けられ、かつ、発光機能を有する単数又は複数の広告板２４と、内部に設けた制御部と接続する結線コード２５とから成り、前記フレーム基体２３には単数又は複数（本実施例）の点滅式発光体２６が設けられている。
【００３１】
ところで、図本実施例の補助広告部２２は、例えば、前面に非接触型センサ３１を備え、該センサ３１の検出信号は制御部３２に送られる。制御部３２は検出信号を取得すると、記憶部３３に格納されている音声データ３４を求め（検索）、該音声データを取得して広告板２４に設けたスピーカー３５から、例えば、「いらっしゃいませ」というような音声を放出するように制御する（図６参照）。
【００３２】
また、制御部３２は、点滅式の第１発光体が継続的に変化（点滅）するように制御すると共に、表示画面方式の第２の発光体（広告板）２４の光が継続的に変化（光や文字が所定方向に流れる）するように制御する。
【００３３】
なお、第１の発光体２６は、発光ダイオードが用いられ、一方、第２の発光体（広告板）２４は、液晶画面が用いられている。また、取付け板１１の連結孔１５は長孔であるが、単なる真円状の軸孔であっても良い。
【実施例】
【００３４】
第１実施例に於いて、取付け片１１の形態は、実施例に限定するものではなく、例えば垂直の取付け基端部から延在する上端部（支持部）がＬ字形状のものであっても良い。
この欄では、本考案の第２実施例と第３実施例を説明する。なお、同一部分には同一符号を付して重複説明を割愛する。図７及び図８は第２実施例である。この第２実施例に於いて、前記第１実施例と主に異なる点は、取付け片１１Ａである。図８で示すように、左右一対の取付け片１１Ａは、上部取付け片１１ａと、下部取付け片１１ｂに分割されている。
【００３５】
移動型広告具Ｘの左右の垂直フレーム３の長さが長短異なるものが存在する。したがって、第２実施例では、垂直フレーム３の長いもの、短いもの如何を問わず、錘１９をベース板１の上に載せることができるという利点がある。その他の構成は第１実施例と同一である。
【００３６】
図９乃至図１２は本考案の第３実施例である。この第２実施例に於いて、前記第１実施例と主に異なる点は、補助広告具Ｙ１の広告部２２Ａである。補助広告具Ｙ１は、前後に幅広の広告板２４Ａ、２４Ｂを備えているが、一方の幅広の広告板２４Ａは、第１実施例と同様に液晶画面が用いられているものの、少なくとも他方の広告板２４Ｂは、広告内容を電子的に変更することができる印刷表示装置を備えている点である。
【００３７】
しかして、印刷表示装置は、図１０で示すように、所定形状の合成樹脂製フレーム基体２３Ａ内に設けられ、また、図１１で示す制御部のブロック図で示すように構成されている。
【００３８】
しかして、第３実施例の補助広告具Ｙ１の広告部２２Ａは、広告内容を電子的に変更することができる印刷表示装置Ｚを備え、該印刷表示装置Ｚは、該フレーム基体２３Ａに設けられた入力部（送受信機能を有する）４１と、この入力部が受け取った印刷情報を記憶する記憶部４２と、前記フレーム基体２３Ａに設けられかつ前記記憶部４２の印刷情報を広告板２４Ｂの一部を構成する電子ペーパー４３に出力するように制御する制御部４４と、前記フレーム基体２３Ａ内に設けられ、かつ前記制御部４４からの前記印刷情報を表示後に電気が流れなくてもデータ自己保存性により当該表示後の印刷情報を常に表示（印刷）する前記電子ペーパー４３とから成る。
【００３９】
なお、図１０に於いて、符号４３ａは電子ペーパー４３の前面をカバーする透明板（例えばガラス、透明フィルム等）、符号ａは電力供給線、符号ｂは信号線である。また、図１１に於いて、符号４０は、電力生成部である。
【００４０】
ところで、光吸収層、液晶層、透明電極層、透明フィルム等を構成要素とする電子ペーパー４３の構成は周知事項なので、その説明は割愛する。また、電子ペーパー４３を適用した表示装置の一例は、例えば特開２００７−１９９２９６号公報に記載されている（特許文献２）。
【００４１】
そこで、図１２を参照にして、携帯端末５０から送信される印刷情報ａが印刷表示装置Ｚの電子ペーパー４３に表示・保持される（印刷される）流れを説明する。
【００４２】
ステップＳ１は、携帯端末５０から印刷表示装置Ｚに対して印刷情報ａの書込み指令が送信された段階である。携帯端末５０から書込み指令が送信されると、印刷表示装置Ｚの制御部４４は書き込み指令に係る信号を載せた電磁波を受信したか否かを判断する（ステップＳ２）。もし、書き込み指令に係る信号を載せた電磁波を受信しなければ、そのステップを繰り返す。
【００４３】
一方、印刷表示装置Ｚは書き込み指令に係る信号を受信したならば、電力生成部４０は電磁波により、各部を動作させるための電力を生成して各部に電力を供給する。
【００４４】
また、入力部４１は、アンテナ５１が受信した電磁波から書き込み指令を取得して制御部４４に送る。該制御部４４は、書き込み準備の処理をする（ステップＳ３）。そして、制御部４４は書き込み準備完了をしたか否かを判断する（ステップＳ４）。もし、書き込み準備完了していなければ、書き込み準備を実行する。
【００４５】
一方、書き込み準備完了したならば、送受信機能を有する入力部４１から書き込み準備完了の信号を携帯端末５０に送る（ステップＳ５）。携帯端末５０は、書き込み準備完了信号を印刷表示装置Ｚから受信したか否かを判断する（ステップＳ６）。もし、書き込み準備完了信号を受けていなければ、そのステップを繰り返す。
【００４６】
一方、書き込み準備完了信号を受信したならば、携帯端末５０から、印刷情報ａを送信する（ステップＳ７）。
【００４７】
このようにして入力部４１が印刷情報ａを、アンテナ５１を介して受信すると、制御部４４は入力部４１から当該印刷情報ａを受け取り、記憶部４２に一旦格納する。その後、制御部４４は、記憶部４２に格納した前記印刷情報ａを、信号線ｂを介して電子ペーパー４３に出力するように制御する。その時、電力生成部４０からの電力が電力線ａを介して電子ペーパー４３に供給されている。それにより、印刷情報ａが電子ペーパー４３に表示される（ステップＳ８）。
【００４８】
その後、電力生成部４０からの電力の供給は絶たれるが、電子ペーパー４３のデータ自己保存性により、印刷情報ａはそのまま表示され続ける。つまり、表示部としての電子ペーパー４３は、制御部４４からの印刷情報ａを表示後に電気が流れなくてもデータ自己保存性により当該表示後の印刷情報を常に表示（印刷）する。
【産業上の利用可能性】
【００４９】
本考案は、サービス業（飲食店、焼鳥屋、小売店、居酒屋、喫茶店など）の店先に設置される広告用看板を取り扱う分野で利用される。
【符号の説明】
【００５０】
Ｘ…移動型広告具、Ｙ、Ｙ１…補助広告具、Ｚ…印刷表示装置、1…ベース板、３…垂直フレーム、４…上部フレーム、５…広告部、１１、１１Ａ…取付け片、１３…第１支持部、１４…第２支持部、１５…連結孔、１９…錘、２１…補助支持板、２１ａ…被係合部、２２、２２Ａ…補助広告部、２３、２３Ａ…フレーム基体、２４、２４Ａ…第２の発光体（広告板）、２５…結線コード、２６…第１の発光体（ＬＥＤ）、３１…非接触型センサ、３２…制御部、３３…記憶部、３５…音声発生手段、４１…入力部（送受信機能を有する）、４２…印刷表示装置の記憶部、４３…印刷表示装置の電子ペーパー、４３ａ…透明板、４４…印刷表示装置の制御部。
【図１】
0003150668.tif 000003
【図２】
0003150668.tif 000004
【図３】
0003150668.tif 000005
【図４】
0003150668.tif 000006
【図５】
0003150668.tif 000007
【図６】
0003150668.tif 000008
【図７】
0003150668.tif 000009
【図８】
0003150668.tif 000010
【図９】
0003150668.tif 000011
【図１０】
0003150668.tif 000012
【図１１】
0003150668.tif 000013
【図１２】
0003150668.tif 000014
【図１３】
0003150668.tif 000015